【事件の表示】
　特許第２６９６５８９号「パチンコ機の景品球払出装置」の請求項１、２に係る特許に対する特許異議の申立てについて、次のとおり決定する。
【結　論】
　訂正を認める。
　特許第２６９６５８９号の請求項１ないし２に係る特許を維持する。
【理　由】
１．手続の経緯
　本件特許第２６９６５８９号は、平成２年６月２７日に出願され、平成９年９月１９日に設定登録され、平成１０年４月２０日に特許異議申立人丹羽美喜子より、平成１０年６月２日に特許異議申立人株式会社真城より、また、平成１０年７月８日に特許異議申立人伊藤幹男より、それぞれ特許異議の申立てがなされた。当審の平成１０年１０月２２日付取消理由通知に対し、特許権者より平成１１年１月１１日付で特許異議意見書及び訂正請求書が、更に、当審の平成１１年６月１７日付訂正拒絶理由通知に対し、平成１１年８月３１日付で特許異議意見書及び手続補正書（訂正請求書）が提出された。
  そして、本件特許は、平成１１年１１月２６日付で取り消しの決定がされ、この取消決定に対して東京高等裁判所に出訴され、この間、平成１２年１月２８日に訂正審判第２０００−３９０１２号として審判請求され、審理の後訂正を認める旨の審決がなされ、確定し、上記取消決定は、平成１２年７月１９日の判決によって取消された。
　したがって、本件特許の請求項１及び２に係る発明は、その訂正後の全文訂正明細書（以下、「訂正審判明細書」という。）における特許請求の範囲に記載された、つぎのとおりのものである。
　「１．景品球が供給される供給通路と、該供給通路と平行状に設けられるリードスクリューと、該リードスクリューを回転させる駆動モーターと、景品球の排出通路とを備え、前記リードスクリューは外周に供給通路に臨んで景品球が接触する鍔状の球移送条部を螺旋状に形成し、前記鍔状の球移送条部に接触した供給通路内の景品球を連続した状態で、かつ景品球の球圧が軸方向に加えられるように軸方向と平行な方向に移動させながら景品球を１個ずつ排出通路に排出するようにしたことを特徴とするパチンコ機の景品球払出装置。
　２．供給通路が複数列である請求項１記載のパチンコ機の景品球払出装置。」
　その後、平成１２年１１月２２日付取消理由通知に対し、特許権者より平成１２年１２月１８日付で訂正請求書が提出され、その添付書類の全文訂正明細書（以下、「訂正明細書」という。）の特許請求の範囲の記載は次の如きものである。
　「１．景品球が連続して供給される供給通路と、該供給通路と平行状に設けられるリードスクリューと、該リードスクリューを回転させる駆動モーターと、景品球の排出通路とを備え、前記リードスクリューは、外周に供給通路に臨んで景品球が接触する鍔状の球移送条部を螺旋状に形成し、前記鍔状の球移送条部に接触した供給通路内の景品球を連続した状態で、かつ景品球の球圧が軸方向に加えられるように軸方向と平行な方向に下降させながら景品球を１個ずつ排出通路に排出するようにしたことを特徴とするパチンコ機の景品球払出装置。
　２．供給通路が複数列である請求項１記載のパチンコ機の景品球払出装置。」
２．訂正の適否についての判断
（１）訂正の要旨
ａ．訂正事項ａ
　訂正審判明細書における特許請求の範囲の請求項１の「景品球が供給される供給通路」を誤記の訂正を目的として、「景品球が連続して供給される供給通路」と訂正する。
ｂ．訂正事項ｂ
　訂正審判明細書における特許請求の範囲の請求項１の「前記リードスクリューは外周に」を誤記の訂正を目的として、「前記リードスクリューは、外周に」と訂正する。
ｃ．訂正事項ｃ
　訂正審判明細書における特許請求の範囲の請求項１の「移動」を特許請求の範囲の減縮を目的として、「下降」と訂正する。
ｄ．訂正事項ｄ
　訂正審判明細書第５頁第１４乃至２０行「さらに、本実施例では、リードスクリュー１５が垂直状に位置するいわゆる縦置き状態で使用する場合について説明したが、例えばリードスクリュー１５が供給通路１４の上に水平状に位置する横置き状態で使用することもできる。このように横置き状態として使用する場合、景品球の球圧が供給通路１４で受けられてリードスクリュー１５に掛かる球圧を減少させることができ、該リードスクリュー１５の回転がよりスムーズに行われると共に、駆動モーター１２への負担も大きく減少させることができる。」の記載を削除する。
（２）訂正の目的の適否、新規事項の有無及び拡張・変更の存否
ａ．訂正事項ａ
　訂正審判明細書における特許請求の範囲の請求項１に記載された「景品球が供給される供給通路」を、「景品球が連続して供給される供給通路」と誤記を訂正したものであり、この点については、訂正審判明細書第２頁第１６乃至１７行の「かかる目的達成のために本発明の景品球払出装置は、景品球が連続して供給される供給通路と、該供給通路と平行状に設けられるリードスクリューと、」の記載から明らかである。
ｂ．訂正事項ｂ
　訂正審判明細書における特許請求の範囲の請求項１に記載された「前記リードスクリューは」と「外周に」との間に本来付すべき読点を付したものであって、誤記の訂正に相当する。
ｃ．訂正事項ｃ
　訂正審判明細書における特許請求の範囲の請求項１に記載された「前記リードスクリューは外周に供給通路に臨んで景品球が接触する鍔状の球移送条部を螺旋状に形成し、前記鍔状の球移送条部に接触した供給通路内の景品球を連続した状態で、かつ景品球の球圧が軸方向に加えられるように軸方向と平行な方向に移動させながら景品球を１個ずつ排出通路に排出するようにした」をより下位概念である「前記リードスクリューは、外周に供給通路に臨んで景品球が接触する鍔状の球移送条部を螺旋状に形成し、前記鍔状の球移送条部に接触した供給通路内の景品球を連続した状態で、かつ景品球の球圧が軸方向に加えられるように軸方向と平行な方向に下降させながら景品球を１個ずつ排出通路に排出するようにした」と限定しようとするものであるから、特許請求の範囲の減縮に相当する。そして、「リードスクリューによって、供給通路内の景品球を下降させる」ことについては、訂正審判明細書中第４頁第２０行から第２４行目に「このリードスクリュー１５の回転で供給通路１４に連続状態で待機する景品球は球移送条部１７の移動に伴ない途切れることなく数珠状に連なって下降を続け、リードスクリュー１５が１回転すると第４図ａ〜ｄに示すように球移送条部１７に接触する最先端の景品球ＢＩがその球移送条部１７から外れて排出通路１４１に落下する。」と記載されており、訂正明細書に記載した事項の範囲内のものである。
　上記ａ乃至ｃの訂正は、特許法第１２０条の４第２項ただし書き第１号乃至第２号の規定を満たすものであり、また、訂正審判明細書に記載した事項の範囲内の訂正であり、実質上特許請求の範囲を拡張し又は変更するものでもない。
ｄ．訂正事項ｄ
　訂正明細書による特許請求の範囲の請求項１の訂正に伴い、特許請求の範囲の記載と発明の詳細な説明の記載との整合を図るものであるから、明りょうでない記載の釈明に相当するものである。
（３）独立特許要件の判断
　上記当審の平成１１年６月１７日付訂正拒絶理由通知にも引用された刊行物１乃至２に、上記訂正審判事件において更に引用された引用刊行物である刊行物３を追加して、独立特許要件の適否を検討する。
ａ．引用刊行物
刊行物１　特開昭５９ー２１８１７４号公報 
刊行物２　実願昭６１ー１２６３５７号（実開昭６３ー３２５８１号）のマイ　　　　　クロフイルム
刊行物３　特開昭６１−８７５７２号公報
Ａ．刊行物１
　上記刊行物１には、次のア乃至ウの事項が記載されている。
ア．　「上方より供給された予備球を自作用的に２条に整列せしめて流下誘導できるようにした誘導路の流下端部に、該誘導路内の予備球の流出方向に回転軸が略一致するように複数個の凹部を有するスプロケットを配置し、かつ上記２条の誘導路の出口の一方が上記スプロケットの凹部に対向するときは、他方の出口がスプロケットの爪部に対向するように構成するとともに、上記スプロケットを回転駆動する手段を設け、入賞球に応じて該駆動手段を動作させて上記スプロケットを所望の角度だけ回転させることにより２条の誘導路の出口から交互に賞品球を排出させるようにしたことを特徴とするパチンコ遊技機における賞品球払出装置。」（特許請求の範囲第１項） 
イ．  「予備貯留部７から上記賞品球払出装置３０まで賞品球を自作用的に整列せしめて誘導する誘導路８」（第３頁左上欄第７〜９行目） 
ウ．　「凹部３２ａに係合した賞品球Ｂ’は阻止プレート３３に当接して後続の賞品球Ｂ”との間に挟持された後、スプロケット３２が回転すると爪部３２ｂによって分離され、下方の排出樋２２に流下せしめられるようになっている。」（第４頁左上欄第６〜１０行目） 
  上記ア乃至ウの記載事項及び第７図、第９図の記載から、刊行物１には、 
  「賞品球が誘導される誘導路と、該誘導路と略平行状の回転軸に設けられたスプロケットと、該スプロケットを回転させる回転駆動手段と、賞品球の排出樋とを備え、                                           
　スプロケットは、外周に誘導路に臨んで賞品球が接触する爪部を有し、該爪部に接触した誘導路内の賞品球を連続した状態で、かつ賞品球の球圧がスプロケットの軸方向に加えられるようにスプロケットの軸方向と平行な方向に移動させながら１個ずつ排出樋に排出するように設けられているパチンコ遊技機における賞品球払出装置。」の発明が記載されている。
Ｂ．刊行物２
　上記刊行物２には、次のア乃至エの事項が記載されている。
ア．　「第２図において、４は集合桶であって、入賞したパチンコ球は、この集合桶４に集合する。集合桶４は下方に傾斜し、最下位部に流下口５が形成されている。集合桶４の下方には、スクリュ６が回転自在に設置され、その一端、つまり入口部は落下口５に臨み、また他端、つまり出口部は、落下筒７の入口端面に臨んでいる。」（第３頁第１１〜１７行）
イ．　「スクリュ６の両側面には、第３図に示すようにガイド板８，８が設けられ、スクリュ６上に落下した入賞球９はガイド板８，８に側面から保持されつつスクリュ６の出口部に搬送される．」（第３頁第１８行〜第４頁第１行）　
ウ．　「第４図はスクリュ６の拡大図を示すもので、スクリュ６の外周面には、入賞球９の一部が係合可能な条溝１０が形成され、該条溝１０のピッチＰは、スクリュ６の一回転につき入賞球９の１個半のリードとなっている。したがって連続してきた入賞球９もスクリュ６の出口部からは等間隔で落下する。」（第４頁第２〜８行）．　
エ．　「第２図に示すように、落下筒７には、入賞球センサ１１が設けられてあって、入賞球９を検出すると、信号を出力し、図示しない賞品球払出器を動作させる。なお、１２はスクリュ６を回転させるためのモータである。」（第４頁第９〜１３行）
　上記ア乃至エの記載事項より、刊行物２には、第２図とともに「スクリュの外周に入賞球を１個ずつ軸方向と平行な方向に移動させながら落下筒に排出する球移送条部を螺旋状に設ける」点が記載されている。
Ｃ．刊行物３
　上記刊行物３には、次の事項が記載されている。
ア．　「パチンコ玉はシュ−ト１８を経て玉搬送機構１７の外筒２１の中に集まって溜る。同時にパチンコ玉２０は玉入り口２６を通じて順にスクリュウ軸２３の螺旋溝の中に入り込む。このように外筒２１にパチンコ玉が溜った状態になると図示されてない玉検知機構が作動してモータ１９に駆動指令を与え、スクリュウ軸２３を回転駆動する．」（第３頁左下欄第５〜１１行）
イ．　「スクリュウ軸２３の螺旋溝内に入ったパチンコ玉２０は上方にねじ送りされてその上端部に到達し、ここからシュート２８を経由して玉収容タンク１５の中に回収される。このパチンコ玉の搬送方向を矢印Ｐで示す。」（第３頁左下欄第１１〜１６行）
　上記ア、イの記載事項及び第２図より刊行物３には、鍔状の球移送条部を有するパチンコ玉移送用のスクリュウが記載されていると言える。　
ｂ．当合議体の判断
  しかしながら、上記刊行物１乃至３には、本件訂正後の請求項１に係る発明の「リードスクリューは、外周に供給通路に臨んで景品球が接触する鍔状の球移送条部を螺旋状に形成し、前記鍔状の球移送条部に接触した供給通路内の景品球を連続した状態で、かつ景品球の球圧が軸方向に加えられるように軸方向と平行な方向に下降させながら景品球を１個ずつ排出通路に排出するようにした」点は記載されておらず、またこれを示唆する記載も認められないので、本件訂正後の請求項１に係る発明を、上記刊行物１乃至３に記載された発明であるとも、また上記刊行物１乃至３に記載された発明に基いて当業者が容易に発明をすることができたとすることもできない。
　また、本件訂正後の請求項２に係る発明は、上記訂正後の請求項１の構成に加え、更に限定したものであるから、上記刊行物１乃至３に記載された発明であるとも、上記刊行物１乃至３に記載された発明に基いて当業者が容易に発明をすることができたとすることもできない。
　したがって、本件訂正後の請求項１、２に係る発明は、独立して特許を受けることができない発明とはいえない。
（４）まとめ
　以上のとおりであるから、上記訂正請求は、特許法第１２０条の４第２項ただし書第１号乃至第３号の規定、及び同第１２０条の４第３項の規定により、同法（平成６年法律第１１６号）附則第６条の規定により準用する同法第１２６条第２項乃至第３項の規定に適合するので、当該訂正を認める。
３．特許異議の申立てについての判断
（１）本件特許発明
　上記のように本件については、特許権者の平成１２年１２月１８日付訂正請求による訂正が認められており、本件特許発明は、上記１の訂正明細書における特許請求の範囲の請求項１乃至２に記載されたとおりのものである。
（２）特許異議申立ての概要
　上記特許異議申立ての理由の概要は次の通りである。
　特許異議申立人丹羽美喜子は、甲第１号証として特開昭５８一２０３７８６号公報（刊行物４）を、甲第２号証として特開昭６１一８７５７２号公報（刊行物５）を、甲第３号証として特開平４一５８９７２号公報（本件特許出願公開公報、刊行物６）を、甲第４号証として特許第２６９６５８９号公報（本件特許公報）を、甲第５号証として特開平３‐２８９９８０号（刊行物７）をそれぞれ提出して、本件請求項１、２に係る特許発明は、甲第１号証及び甲第２号証に記載された発明に基づいて容易に発明をすることができたものであると主張している。また、本件特許出願の明細書の補正に要旨変更があること、及び本件特許出願日以降であって上記補正日前に頒布された刊行物である甲第５号証に記載された発明と同一若しくは該発明に基づいて容易に発明をすることができたものであると主張している。
　特許異議申立人株式会社真城は、甲第１号証として本件特許の出願当初の明細書及び図面を、甲第２号証として本件特許に関する平成９年５月９日付け手続補正書を、甲第３号証として特開平４−５８９７２号公報（本件特許の公開公報、刊行物６）を、甲第４号証として特開平５−１３７８４１号公報（刊行物８）を、甲第５号証として特開平３−５５０８６号公報（刊行物９）を、甲第６号証として特開昭５３−５１０３７号公報（刊行物１０）をそれぞれ提出して、本件特許出願の明細書の補正に要旨変更があり、本件特許出願日以降であって上記補正日前に頒布された刊行物である甲第３乃至４号証に記載の発明に基づいて、本件請求項１、２の発明は、容易に発明をすることができたものであると主張している。また、特許請求の範囲の記載に記載不備があると主張している。
　特許異議申立人伊藤幹男は、甲第１号証として特開昭６０−１６０９８１号公報（刊行物１１）、甲第２号証として実願昭６１−１２６３５７号（実開昭６３−３２５８１号）のマイクロフイルム（上記刊行物２）、及び甲第３号証として特開昭５９−２１８１７４号公報（上記刊行物１）を提出して、本件請求項１、２に係る発明はこれら各甲号証記載の発明に基づいて容易に発明をすることができたものであると主張している。　
（３）特許異議申立ての具体的理由に対する当合議体の判断
ａ．特許時の特許請求の範囲の記載不備
　特許異議申立人株式会社真城が主張する明細書中の記載不備は、特許時の請求項１「リ−ドスクリュ−は、外周に供給通路の景品球を１個ずつ軸方向と平行な方向に移動させながら排出通路に排出する球移送条部を螺旋状に設けた」の記載が不明であると主張している。その理由として、刊行物５の特開平３−５５０８６号公報の「スクリュ−部材がパチンコ球をスクリュ−部材の回転方向と同じ円弧状に移動させながら送り出す」構成と実質的に区別できない。要するに、「景品球を１個ずつ軸方向と平行な方向に移動させながら排出通路に排出する」という作用的な表現では、構成が不明瞭であり、これを明確にする必要があるというものである。
　ところが、上記訂正請求により訂正された特許請求の範囲は、「リードスクリューは、外周に供給通路に臨んで景品球が接触する鍔状の球移送条部を螺旋状に形成し、前記鍔状の球移送条部に接触した供給通路内の景品球を連続した状態で、かつ景品球の球圧が軸方向に加えられるように軸方向と平行な方向に下降させながら景品球を１個ずつ排出通路に排出するようにした」というものであるから、作用的な表現ではなく、構成は明瞭である。したがって、特許請求の範囲の記載に、記載不備は認められない。
ｂ．要旨変更と要旨変更に関連する新規性及び進歩性
Ａ．要旨変更
　特許異議申立人丹羽美喜子及び同株式会社真城の主張する要旨変更に関する主張は、、特許時の願書に添付した明細書（平成９年５月９日付全文補正明細書（以下、「特許時明細書」という。）の第５頁第１８乃至２４行の記載が願書に最初に添付した明細書又は図面に記載がないものであるというものであるが、この記載は削除されたので、この要旨変更に関する主張は、理由がなくなった。
　更に特許異議申立人株式会社真城の主張する要旨変更に関する主張は、特許時明細書の第２頁第６乃至１３行「一方、例えば特開平３−５５０８６号公報に開示されるように、スクリュー部材によってパチンコ球を１個単位で送り出すようにした供給装置が知られている。しかし、この先願のスクリュー部材は、上述したスプロケット１０３の凹状の爪部１０２をスクリュー条に形成してパチンコ球をスクリュー部材の回転方向と同じ円弧状に移動させながら送り出すようにしたものであり、従来のスプロケットによる払出装置と同じようにパチンコ球の球圧がスクリュー部材の回転方向に対して直接に掛かり駆動モーターに過大な負荷が掛かる等の問題点を依然として有するものである。」を加入する補正は、出願後に判明した課題を本件特許発明が解決しようとする課題（目的）として新たに採用することをねらった補正であり、本件特許発明の目的を実質的に変更して本件特許発明の技術的範囲を実質的に拡張することを狙ったものであるというものである。
　上記補正において、引用された特開平３−５５０８６号公報は、審査時の拒絶理由に引用された刊行物であって、「この先願のスクリュー部材は、」とあるように本件特許出願と先願との相違を明らかにするために引用したものであり、特に本件特許出願の目的を変更するものとは認められないから、上記更に特許異議申立人株式会社真城の主張する要旨変更に関する主張は、理由がない。
Ｂ．要旨変更に関連する新規性及び進歩性
　特許異議申立人は、上記要旨変更補正であるとの主張に基づいて、
（イ）本件特許の出願日は、旧特許法第４０条の規定により当該手続補正書の提出日（平成９年５月９日）に操り下がる結果、本件特許の公開公報である刊行物６と刊行物８の記載に基づいて、又は刊行物９と刊行物１０の記載に基づいて、本件特許発明を容易に想到することができ、特許法第２９条第２項の規定により取り消されるべきであり、
（ロ）当該手続補正書の提出日前に日本国内で頒布された刊行物７に記載された発明と同一であるから特許法第２９条第１項の規定により特許を受けることができないものでもある旨
主張している。
　ところで、上記Ａで検討した如く本件特許に係る出願の明細書の補正に要旨変更は認められないから、本件特許出願の出願日は、実際の特許出願の出願日である平成２年６月２７日であり、刊行物６乃至９は、上記出願後に発行された刊行物であるので、これらの刊行物を根拠として、本件特許に係る発明の新規性及び進歩性を否定することはできない。
ｃ．進歩性
Ａ．刊行物４、５、１０、１１の記載
　刊行物４には次のア乃至ウの事項が記載されている。
ア．　「ハウジング４０の内周のスリーブ５４には、溝断面が半円状の縦構５５が形成されており、図のように螺旋構５２と縦溝５５が一致したときに、導入室４８に溜っている玉がロータ４７を回しつつ縦構５５を落下し、送出室４９へと移動するのである。」（第３頁右上欄第１〜６行）
イ．　「ハウジング４０には、導入室４８の入口５０と、迭出室４９の出口５１が形成される。そして、ロー夕４７の外周には、この実施例では４本の螺旋溝５２が、等間隔で上面から下面に至るまで形成される。」（第３頁左上欄第１３〜１７行）
ウ．　「なお、この実施例では、縦溝５５は１か所にのみ設けたが、例えば２カ所に設ければロータ回転に対して２倍の玉送りが行えるのである。」（第４頁左上欄第５〜７行）
　刊行物５には次のア乃至エの事項が記載されている。
ア．　「・・・・・・・・玉搬送機構がパチンコ玉受入計数機構から出てきたパチンコ玉を機内の下部に集め、ここから機内上部に設置された玉収容タンクへ向けて搬送するスクリュウコンベア式リフタとして構成されたものであることを特徴とするパチンコ玉貸し機。」（特許請求の範囲第２項）
イ．　「モータ１９にクラッチ２２を介して連結された上下方向のスクリュウ軸２３と、」（第３頁右上欄第６〜８行）
ウ．　第２図中には矢印Ｐで示される供給通路及び供給通路の方向と平行なスクリュウ軸２３が記載されている。
エ．　第２図には、スクリュウ軸２３の外周には供給通路のパチンコ玉を１個ずつ軸方向と平行な方向に移動させながらシュート２８に排出するスクリュウが記載されている。
　刊行物１０には次の事項が記載されている。
ア．　「従ってアウト玉タンク２６より供給されるパチンコ玉は下部開口部３６に達した時に、回転しているラセン板３３により１回転毎に１ピッチずつ上昇せられて、上部開口部３１に達し賞球タンク６に（図示せず）還元される。」（第３頁左上欄第２０行〜右上欄第４行）
イ．　「パチンコ玉が上昇するのはラセン板３３が回転した時に上方向にしか逃げる場所がないように側面はコの字形の溝３２によって案内されている。」（第３頁右上欄第９〜１２行）
　刊行物１１には次のア乃至オの事項が記載されている。
ア．　「球体を入れた容器の出口に装着する球体整列移動装置であって、前記容器の壁面又は底面に隣接して配置した、球体の直径以上のピッチを有するコイル部材と、このコイル部材をその長手軸線まわりに回転させる駆動装置と、前記コイル部材の回転によって整列させられ、送り出される球体の数を感知するセンサ装置とを包含することを特徴とする球体整列移動装置。」（特許請求の範囲、請求項１）
イ．　「容器１は出口通路２に向って傾斜した底面３を有する。容器１に入れられた球体７（以下、パチンコ球に限定して言及する）は重力によって底面３上を出口通路２に向って移動できる。」（第２頁右下欄第１０〜１４行）
ウ．　「出口通路２に通じる溝４内には、球体整列移動装置５が装着してあり、この球体整列移動装置５は溝４にそれと同軸に配置したコイル部材６と、このコイル部材６の一端に連結した駆動モーター８とを包含し、コイル部材６の反対端は、出口通路２に向って開口している。」（第２頁右下欄第１４〜２０行）
エ．　「このような配置において、駆動モーター８が付勢させられてコイル部材６を回転させると、その一回転ごとにパチンコ球７が１つずつコイル部材６の出口側端から送り出されることになる。」（第２頁右下欄第２０行〜第３頁左上欄第３行）
オ．　「コイル部材が駆動装置によって回転させられたとき、コイル部材があたかもスクリューコンベヤのように作用し、コイル部材の１回転に１つずつ球体がコイル部材の出口端から送り出されるようになっている。」（第２頁左上欄第１６〜２０行）
Ｂ．当合議体の判断
　上記２．（４）において検討した如く、本件訂正後の請求項１乃至２に係る発明は、上記刊行物１乃至３に記載された発明であるとも、また上記刊行物１乃至３に記載された発明に基いて当業者が容易に発明をすることができたとすることもできない。
　また、上記刊行物４、５、１０、１１の記載を検討すると何れの刊行物にも、本件訂正後の請求項１に係る発明の「前記リードスクリューは、外周に供給通路に臨んで景品球が接触する鍔状の球移送条部を螺旋状に形成し、前記鍔状の球移送条部に接触した供給通路内の景品球を連続した状態で、かつ景品球の球圧が軸方向に加えられるように軸方向と平行な方向に下降させながら景品球を１個ずつ排出通路に排出するようにした」点は記載されておらず、またこれを示唆する記載も認められないので、本件訂正後の請求項１乃至２に係る発明を、上記刊行物４、５、１０、１１に記載された発明であるとも、また上記刊行物４、５、１０、１１に記載された発明に基いて当業者が容易に発明をすることができたとすることもできない。
４．むすび
　以上のとおりであるから、特許異議の申立ての理由及び証拠によっては、本件請求項１乃至２に係る特許を取り消すことはできない。
　また、他に、本件請求項１乃至２に係る特許を取り消すべき理由を発見しない。
　したがって、本件請求項１乃至２に係る特許は、拒絶の査定をしなければならない特許出願についてされたものではない。
　よって、結論のとおり決定する。
【異議決定日】
平成１１年１１月２６日（１９９９．１１．２６）
【訂正の要旨】
１．訂正の要旨
１）特許請求の範囲の訂正事項
　訂正審判第２０００−３９０１２号として審判請求され、審理の後訂正を認める旨の審決がなされ、確定した、本件特許の請求項１及び２に係る発明である、その訂正後の全文訂正明細書（以下、「訂正審判明細書」という。）における特許請求の範囲に記載された、
　「１．景品球が供給される供給通路と、該供給通路と平行状に設けられるリードスクリューと、該リードスクリューを回転させる駆動モーターと、景品球の排出通路とを備え、前記リードスクリューは外周に供給通路に臨んで景品球が接触する鍔状の球移送条部を螺旋状に形成し、前記鍔状の球移送条部に接触した供給通路内の景品球を連続した状態で、かつ景品球の球圧が軸方向に加えられるように軸方向と平行な方向に移動させながら景品球を１個ずつ排出通路に排出するようにしたことを特徴とするパチンコ機の景品球払出装置。
　２．供給通路が複数列である請求項１記載のパチンコ機の景品球払出装置。」を、
　特許権者による平成１２年１２月１８日付訂正請求書の添付書類である全文訂正明細書（以下、「訂正明細書」という。）の特許請求の範囲の記載の次の如く、
　「１．景品球が連続して供給される供給通路と、該供給通路と平行状に設けられるリードスクリューと、該リードスクリューを回転させる駆動モーターと、景品球の排出通路とを備え、前記リードスクリューは、外周に供給通路に臨んで景品球が接触する鍔状の球移送条部を螺旋状に形成し、前記鍔状の球移送条部に接触した供給通路内の景品球を連続した状態で、かつ景品球の球圧が軸方向に加えられるように軸方向と平行な方向に下降させながら景品球を１個ずつ排出通路に排出するようにしたことを特徴とするパチンコ機の景品球払出装置。
　２．供給通路が複数列である請求項１記載のパチンコ機の景品球払出装置。」と訂正する。
　すなわち、
ａ．訂正事項ａ
　訂正審判明細書における特許請求の範囲の請求項１の「景品球が供給される供給通路」を誤記の訂正を目的として、「景品球が連続して供給される供給通路」と訂正する。
ｂ．訂正事項ｂ
　訂正審判明細書における特許請求の範囲の請求項１の「前記リードスクリューは外周に」を誤記の訂正を目的として、「前記リードスクリューは、外周に」と訂正する。
ｃ．訂正事項ｃ
　訂正審判明細書における特許請求の範囲の請求項１の「移動」を特許請求の範囲の減縮を目的として、「下降」と訂正する。
２）発明の詳細な説明の訂正事項
ｄ．訂正事項ｄ
　訂正審判明細書第５頁第１４乃至２０行「さらに、本実施例では、リードスクリュー１５が垂直状に位置するいわゆる縦置き状態で使用する場合について説明したが、例えばリードスクリュー１５が供給通路１４の上に水平状に位置する横置き状態で使用することもできる。このように横置き状態として使用する場合、景品球の球圧が供給通路１４で受けられてリードスクリュー１５に掛かる球圧を減少させることができ、該リードスクリュー１５の回転がよりスムーズに行われると共に、駆動モーター１２への負担も大きく減少させることができる。」の記載を削除する。
（５４）【発明の名称】
パチンコ機の景品球払出装置
（５７）【特許請求の範囲】
　１．景品球が連続して供給される供給通路と、該供給通路と平行状に設けられるリードスクリューと、該リードスクリューを回転させる駆動モーターと、景品球の排出通路とを備え、前記リードスクリューは、外周に供給通路に臨んで景品球が接触する鍔状の球移送条部を螺旋状に形成し、前記鍔状の球移送条部に接触した供給通路内の景品球を連続した状態で、かつ景品球の球圧が軸方向に加えられるように軸方向と平行な方向に下降させながら景品球を１個ずつ排出通路に排出するようにしたことを特徴とするパチンコ機の景品球払出装置。
　２．供給通路が複数列である請求項１記載のパチンコ機の景品球払出装置。
【発明の詳細な説明】
〔産業上の利用分野〕
　本発明はパチンコ機の景品球払出装置に関し、特にリードスクリューの回転によって景品球を払出すようにした新規なパチンコ機の景品球払出装置に関するものである。
〔従来の技術〕
　従来、パチンコ機の景品球払出装置としては、例えば第５図に示すように景品球の供給通路１０１と、該供給通路１０１に外周一部が臨むように設けられ、かつ、その外周に景品球を一個ずつ嵌入し得る凹状の爪部１０２を有するスプロケット１０３と、該スプロケット１０３を回転させる駆動モーター１０４とを備え、スプロケット１０３をモーター１０４により回転させて所定数の景品球を排出通路１０５に排出するようにしたものが知られている。
〔発明が解決しようとする課題〕
　このような従来の景品球払出装置は、供給通路１０１で列状に待機している景品球の球圧がスプロケット１０３の回転方向に対して直接に掛かっているので、特に駆動モーター１０４の停止時等に過大な負荷が掛かり、しかも景品球払い出しの動作は頻繁に行なわれるので、短期間の使用で駆動モーター１０４が故障することがある。また、景品球の払い出しはスプロケット１０３の爪部１０２で景品球を一個ずつ区切るように排出させるために払い出しに時間が掛かる上、スプロケット１０３の摩耗によって球噛みを生じたり、払出個数が正確でなくなったりするといった問題がある。
　一方、例えば特開平３−５５０８６号公報に開示されるように、スクリュー部材によってパチンコ球を１個単位で送り出すようにした供給装置が知られている。しかし、この先願のスクリュー部材は、上述したスプロケット１０３の凹状の爪部１０２をスクリュー条に形成してパチンコ球をスクリュー部材の回転方向と同じ円弧状に移動させながら送り出すようにしたものであり、従来のスプロケットによる払出装置と同じようにパチンコ球の球圧がスクリュー部材の回転方向に対して直接に掛かり駆動モーターに過大な負荷が掛かる等の問題点を依然として有するものである。
　それ故に本発明の目的は、このような問題を解決した景品球払出装置を提供することにある。
〔課題を解決するための手段〕
　かかる目的達成のために本発明の景品球払出装置は、景品球が連続して供給される供給通路と、該供給通路と平行状に設けられるリードスクリューと、該リードスクリューを回転させる駆動モーターと、景品球の排出通路とを備え、前記リードスクリューは、外周に供給通路の景品球を１個ずつ軸方向と平行な方向に移動させながら排出通路に排出する球移送条部を螺旋状に設けたことを特徴としている。
〔作用〕
　リードスクリューが回転すると螺旋状に形成された球移送条部によって供給通路の景品球が途切れることなく数珠状に連続して移動し、その最先端の景品球が１個ずつ排出通路に払い出される。
　上記のように、この景品球払出装置においては、スプロケット１０３の爪部１０２によって景品球を払出するものではなく、リードスクリューの螺旋状に形成された球移送条部の移動により景品球を払い出すようになっているため、その景品球の払い出し動作が非常に滑らかに行われると共に、景品球の払い出し時におけるタイムラグを防ぐことが可能となる。またリードスクリューを供給通路と平行状に設けることにより、該リードスクリューに加わる球圧が軽減されて回転がスムーズに行なわれると共に、モーターに大きな負担が掛からなくなり、小型のモーターの使用が可能となって装置全体を小型化することができる。
〔実施例〕
　以下に本発明の一実施例を図面と共に説明する。第１図は本発明の景品球払出装置が適用されるパチンコ機１の裏面図である。パチンコ機１の裏面には、遊技盤１０の裏面全体を覆うように機構板２が配設されており、その遊技盤１０の裏面と相対する機構板２の前面下部に入賞球を集合する入賞球集合樋３が形成されている。この入賞球集合樋３は入賞球を一列に整列して流下させるようになっており、その流下通路の途中に通過する入賞球を検出する入賞球検出器４が設けられている。この入賞球検出器４からの信号は図示しない払出制御回路に送られて、後述する景品球払出装置８の動作を制御する。
　一方、機構板２の後面側には、上部に補給機構（図示せず）から補給される景品球を貯留する景品球タンク５が設けられ、該景品球タンク５の下方に景品球を整列流下させる誘導樋６が設けられ、該誘導樋６の下流側に垂直状の供給樋７が連設され、この供給樋７の流下端に本発明の景品球払出装置８が接続される。さらに、景品球払出装置８の下方に該装置８から払い出された景品球を機前の球受皿に導く排出樋９が設けられている。
　次に、第２図ないし第４図を参照して本発明の景品球払出装置８の構成について説明する。景品球払出装置８は、第２図に示すように前記機構板２に取付ける取付板１１と、駆動モーター１２を取付けるモーター取付板１３とを有する。取付板１１には前記供給樋７に連続する供給通路１４が垂直方向に形成され、その供給通路１４と平行状にリードスクリュー１５が配設される。リードスクリュー１５は、モーター取付板１３に形成された上下の受片１３１，１３１に支軸１６の上下部が支持されて水平回転自在に取付けられており、円柱状主体の外周に供給通路１４に臨んで最先端の景品球が接触する一条の連続した鍔状の球移送条部１７を螺旋状に設けて構成されている。なお、リードスクリュー１５の下方に位置した供給通路１４の下流部分は前記排出樋９に連続する排出通路１４１とされている。
　またモーター取付板１３の下端折曲部には、前記入賞球検出器４の検出信号によって回転する駆動モーター１２が垂直状に取付けられ、そのモーター軸１８に原動歯車１９が固着されている。また原動歯車１９は、リードスクリュー１５の支軸１６に固着された従動歯車２０に噛合されており、駆動モーター１２の回転をリードスクリュー１５に伝達するようにされている。
　なお、本実施例の場合、前記駆動モーター１２とリードスクリュー１５は、駆動モーター１２の２回転でリードスクリュー１５が１回転するようにその回転比が設定されている。またリードスクリュー１５の球移送条部１７は、該リードスクリュー１５が１回転することによって供給通路１４に連続状態で並ぶ最先端の景品球Ｂ１を排出通路１４１に送り出すようにその螺旋形状が選ばれる。また前記供給通路１４には球切れ検出器２１が設けられており、供給通路１４に球切れが発生すると駆動モーター１２を停止させて景品球の払い出し動作が行われないようにする。また前記排出通路１４１には景品球検出器２２が設けられており、リードスクリュー１５の回転によって排出通路１４１に払い出される景品球を１個ずつ検出可能になっている。
　次に、以上説明した本実施例の景品球払出装置８の動作について説明する。入賞球検出器４が入賞球を検出すると、その検出信号に基づいて駆動モーター１２が回転を開始し、原動歯車１９および従動歯車２０を介してリードスクリュー１５が回転する。このリードスクリュー１５の回転で供給通路１４に連続状態で待機する景品球は球移送条部１７の移動に伴ない途切れることなく数珠状に連なって下降を続け、リードスクリュー１５が１回転すると第４図ａ〜ｄに示すように球移送条部１７に接触する最先端の景品球Ｂ１がその球移送条部１７から外れて排出通路１４１に落下する。そして、排出通路１４１に落下した景品球は景品球検出器２２によって計数されながら排出樋９を介して機前の球受皿に導かれるもので、その払い出された景品球が所定数例えば入賞球１個に対して払い出される景品球数（例えば１３個）になったときに駆動モータ１２を停止する。これによって入賞球検出器４の検出信号ごとに所定数の景品球を正確に払い出すことができる。
　以上のように、本実施例に係る景品球払出装置８は、供給通路１４の景品球の球圧がリードスクリュー１５の支軸方向に加えられることになるので、従来のスプロケット方式の景品球払出装置に較べて駆動モーター１２に過大な負荷が与えられないようになる。したがって、リードスクリュー１５の回転がスムーズに行われると共に、小型のモータの使用が可能となって装置全体を小型化することができ、製造費が安く、設置に必要とするスペースが最小限度ですむ。
　また供給通路１４の景品球は、途切れることなく数珠状に連なって払い出されるものであるから景品球の払い出し時におけるタイムラグを防ぐことができ、景品球の払い出し動作に無駄がなくなってスピード化を図ることができる。
　なお、上述の実施例では景品球の供給通路１４を一列として説明したが、供給通路１４を複数設けることにより景品球の払い出しをより高速化並びに高能率化することが可能となる。また本発明の景品球払出装置８は、パチンコ機に限らず、例えば球貸装置等にも使用することができる。
〔発明の効果〕
　以上のように本発明によれば、景品球の供給通路と平行状にリードスクリューを配設し、そのリードスクリューは、外周に供給通路の景品球を１個ずつ軸方向と平行な方向に移動させながら排出通路に排出する球移送条部を螺旋状に設けて構成し、該リードスクリューの回転により供給通路の景品球を１個ずつ払い出すようにしたものであるから、スプロケット方式の景品球払出装置のように支軸の回転動向と球圧による景品球動向が比例することがないため、リードスクリューの回転動向は球圧に影響されることなくスムーズに回転し、かつ、景品球を連続的に排出させることができて景品球の払い出しを遅延させることはない。しかも駆動モーターに過負荷を与えることがないため小型のモーターが使用可能となり、装置全体をコンパクトにできる。
【図面の簡単な説明】
　図は本発明の一実施例を示すもので、第１図は本発明の景品球払出装置が適用されるパチンコ機の背面図、第２図は本発明に係る景品球払出装置の斜視図、第３図は一部断面にして示す平面図、第４図（ａ）〜（ｄ）は同上作用説明図、第５図は従来技術の説明図である。
　１…パチンコ機、８…景品球払出装置、１２…駆動モーター、１４…供給通路、１５…リードスクリュー、１７…球移送条部、１４１…排出通路。